(57)【要約】  一体化したスピーカを有する眼鏡ケースが開示されている。眼鏡ケースは、二つの区画部を有するハウジングを含む。第１の区画部は眼鏡を収容するように構成されており、一方、第２の区画部はスピーカシステムを収容する。【選択図】図２
2011504006.tif 000002
【特許請求の範囲】
【請求項１】
第１の凹部領域を有する第１の区画部と、
第２の凹部領域を有する第２の区画部と、
前記第１の区画部及び前記第２の区画部を連結するための連結手段と、
凹んでいる前記第１の区画部又は前記第２の区画部に組み込まれているスピーカのシステムと、
を含む眼鏡ケースであって、
前記スピーカが、通信状態にある音源からの可聴音を発することができる、眼鏡ケース。
【請求項２】
前記連結手段がヒンジを含む、請求項１に記載の眼鏡ケース。
【請求項３】
前記第１の凹部領域又は前記第２の凹部領域が、前記スピーカのシステムに電力を供給するための電力供給装置を収容する、請求項１に記載の眼鏡ケース。
【請求項４】
前記スピーカのシステムの操作を容易にするために、入力用開口部、表示ライト及び音量制御ノブを更に含む、請求項１に記載の眼鏡ケース。
【請求項５】
前記第１の凹部領域又は前記第２の凹部領域が、眼鏡を収容するように構成されている、請求項１に記載の眼鏡ケース。
【請求項６】
前記第１の凹部領域又は前記第２の凹部領域が、眼鏡を固定するための締結手段を含む、請求項１に記載の眼鏡ケース。
【請求項７】
プラスチック、金属、皮又は布の材料で作られている、請求項１に記載の眼鏡ケース。
【請求項８】
二つの前記区画部を互いに固定するための取付手段を更に含む、請求項１に記載の眼鏡ケース。
【請求項９】
前記音源がＭＰ３プレーヤである、請求項１に記載の眼鏡ケース。
【請求項１０】
前記音源と複数の前記スピーカとが、ワイヤ又は無線信号を介して通信する、請求項１に記載の眼鏡ケース。
【請求項１１】
第１の凹部領域を有する第１の区画部と、
第２の凹部領域を有する第２の区画部と、
凹んでいる前記第１の区画部又は前記第２の区画部に組み込まれているスピーカのシステムと、
を含む眼鏡ケースであって、
前記スピーカが、通信状態にある音源からの可聴音を発することができ、
前記第１の区画部及び前記第２の区画部が、互いにヒンジ結合されている、眼鏡ケース。
【請求項１２】
前記第１の凹部領域又は前記第２の凹部領域が、前記スピーカのシステムを収容する、請求項１１に記載の眼鏡ケース。
【請求項１３】
前記第１の凹部領域又は前記第２の凹部領域が、前記スピーカのシステムに電力を供給するための電力供給装置を収容する、請求項１１に記載の眼鏡ケース。
【請求項１４】
前記スピーカのシステムの操作を容易にするために、入力用開口部、表示ライト及び音量制御ノブを更に含む、請求項１１に記載の眼鏡ケース。
【請求項１５】
前記第１の凹部領域又は前記第２の凹部領域が、眼鏡を収容するように構成されている請求項１１に記載の眼鏡ケース。
【請求項１６】
前記第１の凹部領域又は前記第２の凹部領域が、眼鏡を固定するための締結手段を含む、請求項１１に記載の眼鏡ケース。
【請求項１７】
プラスチック、金属、皮又は布の材料で構成されている、請求項１１に記載の眼鏡ケース。
【請求項１８】
二つの前記区画部を互いに固定するための取付手段を更に含む、請求項１１に記載の眼鏡ケース。
【請求項１９】
前記音源がＭＰ３プレーヤである、請求項１１に記載の眼鏡ケース。
【請求項２０】
前記音源と複数の前記スピーカとが、ワイヤ又は無線信号を介して通信する、請求項１１に記載の眼鏡ケース。
【請求項２１】
第１の凹部領域を有する第１の区画部と、
第２の凹部領域を有する第２の区画部と、
前記第１の区画部及び前記第２の区画部を連結する一つ以上のヒンジと、
凹んでいる前記第１の区画部又は前記第２の区画部に組み込まれているスピーカのシステムと、
を含む眼鏡ケースであって、
前記スピーカが、通信状態にある音源から可聴音を発することができる、眼鏡ケース。
【請求項２２】
前記音源がＭＰ３プレーヤである、請求項２１に記載の眼鏡ケース。
【請求項２３】
前記音源と複数の前記スピーカとが、ワイヤ又は無線信号を介して通信する、請求項２１に記載の眼鏡ケース。
【発明の詳細な説明】
【技術分野】
【０００１】
[0001]  本発明の実施形態は、眼鏡ケースに関し、特に、一体化したスピーカシステムを有する眼鏡ケースに関する。
【背景技術】
【０００２】
[0002]  今日の電気工学分野において、より小さくてより軽い携帯可能な電気デバイスを作ることは一つの目標である。さらに、顧客により多くの価値を与え、また、電気デバイスの購入及び利用を促すために、電気デバイスを内臓しようとする、かつ、更なる機能を提供しようとする更なる意欲がある。
【０００３】
[0003]  したがって、一体化したスピーカシステムを有する眼鏡ケースに対する要請がある。
【発明の概要】
【０００４】
[0004]  よって、本発明の第１実施形態は、第１の凹部領域を有する第１の区画部と、第２の凹部領域を有する第２の区画部と、第１及び第２の区画部を連結するための連結手段と、第１又は第２の凹んだ区画部に組み込まれている少なくとも一つのスピーカとを備えており、スピーカが、通信状態にある音源から可聴音を発することができる、眼鏡ケースについて開示している。一実施形態において、連結手段はヒンジであり、区画部は、プラスチック、金属、皮又は布の材料で構成される。一実施形態において、第１の凹んでいる区画部は、スピーカシステムと共に、そのスピーカシステムに電力を供給するための電力供給装置を収容し、一方、第２の凹んでいる区画部は、眼鏡を保持するように構成される。第２の凹んでいる区画部は、眼鏡を保持するための固定手段を含んでもよい。眼鏡は、スピーカシステムの操作を容易にするために、表示ライトと、音量制御ノブと、音源に物理的に接続するための入力用開口部とを更に含んでもよい。
【０００５】
[0005]  本発明の他の変更、実施形態及び特徴は、以下の詳細な説明、図面及び特許請求の範囲から明らかになろう。
【図面の簡単な説明】
【０００６】
【図１】閉位置にある眼鏡ケースの斜視図である。
【図２】開位置にある眼鏡ケースの斜視図である。
【図３】開位置にある眼鏡ケースの上部の区画部の斜視図である。
【発明を実施するための形態】
【０００７】
[0009]  本発明の精神又は本質的な特徴から逸脱することなく、本発明を他の特定の形態に具現化できることを当業者は理解すべきである。したがって、以下に記載の実施形態は、あらゆる点において制限的ではなく一例として考えるべきである。
【０００８】
[0010]  最初に、プラスチック、金属又は他の硬い材料で構成されているハウジング１２を含む眼鏡ケース１０を示す図１について説明する。また、ハウジング１２は、皮又は布からなる半硬質の又は柔らかいバッグであり得る。クラムシェルの形状にあるハウジング１２が図示されているが、ハウジング１２は長方形、円形又は正方形を含むどのような形状にもすることができる。ハウジング１２は、下部の区画部１６にヒンジ結合されている（ヒンジは、ハウジング１２の後ろに隠れて、図面から見ることができない）上部の区画部１４を含む。ヒンジによって、区画部１４、１６が更なる取付手段１８なしに開閉できるが、眼鏡ケース１０が自由に開閉され得るように、他の連結手段１８が、区画部１４，１６を互いに連結するために用いられてもよいことは想定される。例えば、ヒンジに代わって、他の回転機構、揺動機構又は枢動機構が用いられてもよい。
【０００９】
[0011]  上部の区画部１４は、表示ライト２２及び音量制御ノブ２４と共に入力用開口部２０を含む。入力用開口部２０によって、ＣＤプレーヤ或いはＭＰ３プレーヤ（例えば、アップル社商品ＩＰＯＤ）のような携帯可能な音楽プレーヤ、携帯電話又は送話器を、眼鏡ケース１０の中に収容されているスピーカシステム３８に接続することができる。音楽プレーヤは、スピーカシステム３８と無線で通信してもよい。スピーカシステムを、次の図面及び話において更に説明する。表示ライト２２によって、ユーザはスピーカシステムが動作しているかどうか判断することができ、一方、音量制御２４によって、ユーザはスピーカシステム３８の音量を制御することができる。随意に、低音、高音及び他の音質を調節するための更なる制御ノブが設けられてもよい。携帯可能な音楽プレーヤについて記載したが、可聴周波数を発し得る他の外部デバイス（例えばラップトップコンピュータ）を、スピーカシステム３８を介して放送することができる。設計及び製造の好みに基づいて、入力用開口部２０、表示ライト２２及び音量制御ノブ２４を眼鏡ケース１０の他の位置に配置できること、かつ、入力用開口部２０、ライト２２及びノブ２４に加えて他のアイテムを必要に応じて有し得ることも当業者に理解されたい。
【００１０】
[0012]  次に、開位置にある眼鏡スピーカケース１０を示す図２について説明する。図２に示すように、下部の区画部１６は、眼鏡及びサングラスを含む一対のレンズ２８を収容するための凹部領域２６を含む。レンズ２８は、一対の紐３０を用いて更に固定され得る。また、レンズ２８は、バックル及びループ（図示せず）のような他の締結手段でも固定され得る。レンズ２８を固定するために、締結手段３０は必要ない。凹部領域２６は、拭取り用品、布巾又は洗浄液（図示せず）を格納するためにも用いられ得る。さらに、凹部領域２６は、種々の目的物、アイテム、供給品を格納するためのポケット及び区画部（図示せず）も含むことができる。図示されていないが、下部の区画部１６は、一対のレンズ２８及び紐３０の両方を覆うための柔らかい布又は硬いプラスチックカバーを含むことができる。
【００１１】
[0013]  図２に示すような、眼鏡ケース１０の上部の区画部１４は、カバー３２を有する閉位置にあり、そのカバー３２は、以下でより詳しく説明するようにその裏面にあるスピーカシステム３８を隠すためのものである。カバー３２は、柔らかい布又は硬質のプラスチック或いはポリマー材料で構成され得る。カバー３２の裏面で保護されているスピーカシステム３８は、バッテリのような電力供給装置又は電力モジュールから動力を供給され得る。これは、図２に示すようなアクセスパネル３４よりアクセスされ得る。さらに、スピーカシステム３８は、外部の壁コンセント（図示せず）に接続されている電力供給アダプタからも動力を供給され得る。
【００１２】
[0014]  次に、開位置にあるメガネケース１０の上部の区画部１４を示す図３について説明する。図３に示すように、カバー３２を一時的に取ると、上部の区画部１４の内部が露出される。下部の区画部１６と同様に、上部の区画部１４が、電力供給装置３６及びスピーカシステム３８を収容するための凹部領域３４を含む。電力供給装置３６は、一組の電気ワイヤ４０を介してスピーカシステム３８に電気的に接続することができる。上記のように、電力供給装置３６は、アクセスパネル３４を介してアクセス可能なバッテリを含むことができる。あるいは、電力供給装置３６は、外部の電源と併用されるアダプタ又はコンバータであり得る。スピーカ３８に電力を供給することによって、入力用開口部を介して眼鏡ケースに接続されている音楽デバイスの可聴周波数は、他組の電気ワイヤ４２を通ってスピーカ３８によって増幅及び処理され得る。スピーカシステム３８は、表示ライト２２及び音量制御ノブ２４（電気ワイヤは図示せず）との通信を容易にする電気回路４４に更に接続されている。スピーカシステム３８及び電力供給装置３６の稼働を容易にするために必要に応じて、ダイオード、抵抗器及び蓄電器を含む更なる素子を凹部領域３４に収容してもよいことを当業者に理解されたい。
【００１３】
[0015]  次に動作について説明する、ユーザは、彼又は彼女の携帯可能な電気音楽デバイス又は送話器を開位置又は閉位置にある眼鏡ケース１０の入力用開口部２０に接続する。一実施形態において、ユーザが電気回路４４及びスピーカシステム３８を見る必要がない故に、眼鏡ケース１０の上部の区画部１４は、図２に示すような閉位置を維持する。ユーザは、アクセスパネル３４を介して電力供給装置にアクセスすればよい。携帯可能な電気音楽デバイス（例えばＭＰ３プレーヤ）又はマイクにおいて音楽を再生することによって、その後、スピーカシステム３８から可聴周波数を発することができる。ユーザは、眼鏡ケース１０の外部表面において音量制御ノブ２４を用いて音量を調節することができる。同様に、ユーザは、携帯可能な電気音楽デバイス自体を用いて音量を調節することもできる。スピーカシステム３８が働いているとき（すなわち、十分な電力３６を有するとき）、表示ライト２２は光る。逆に、バッテリが少ないとき、又は、スピーカ３８、電気ワイヤ４０，４２或いは電気回路４４に問題があるとき、表示ライト２２は消える。ここに記載のような眼鏡ケース１０は、ユーザがどこでもすぐに持って行くことができる携帯可能なスピーカシステムとして役立つ。
【００１４】
[0016]  様々な実施形態を参照して本発明を詳細に記載したが、更なる変更及び修正も、以下の特許請求の範囲に記載及び限定した本発明の範囲及び精神に含まれる。
【図１】
2011504006.tif 000003
【図２】
2011504006.tif 000004
【図３】
2011504006.tif 000005
【国際調査報告】
2011504006.tif 000006
2011504006.tif 000007